(57)【特許請求の範囲】
【請求項１】
通信機能を備える電子機器と、前記電子機器から当該電子機器の機器名を示す機器名情報を受信し、当該機器名情報に基づく報知を行う報知装置とを備えるネットワークシステムであって、
前記電子機器は、
前記機器名情報を当該電子機器の状況に応じて変更して設定する設定手段と、前記設定手段によって設定された機器名情報を前記報知装置に送信する送信手段とを備え、
前記報知装置は、
前記電子機器から前記機器名情報を受信する受信手段と、
前記受信手段によって受信された機器名情報に基づいて、前記電子機器の機器名及び状況に関する報知を行う報知手段とを備えること
を特徴とするネットワークシステム。
【請求項２】
前記設定手段は、前記機器名情報として前記電子機器の状況に応じた機器名を設定し、
前記報知手段は、当該機器名を報知すること
を特徴とする請求項１に記載のネットワークシステム。
【請求項３】
前記設定手段は、前記報知装置からの機器名情報の送信要求の有無を判定する判定手段と、前記判定手段によって送信要求が有ると判定された場合に当該電子機器の状況を確認する確認手段とを備え、前記確認手段によって確認された当該電子機器の状況に応じた前記機器名情報を設定すること
を特徴とする請求項１または２に記載のネットワークシステム。
【請求項４】
前記報知装置は、
ユーザからの報知指示を入力する指示入力手段と、
前記指示入力手段によって報知指示が入力された際に、前記電子機器に対して機器名情報の送信要求を送る要求手段と
を備えることを特徴とする請求項３に記載のネットワークシステム。
【請求項５】
前記設定手段は、前記機器名情報として、当該電子機器を示す不変の情報である機器情報と、当該電子機器の状況に応じて変化する状況情報とを組み合わせた情報を設定し、
前記報知手段は、前記機器情報に基づいて機器名に関する報知を行う一方、前記状況情報に基づいて状況に関する報知を行うこと
を特徴とする請求項１〜４のいずれかに記載のネットワークシステム。
【請求項６】
前記機器情報は、機器名であり、前記状況情報は状況を示す文字情報であること
を特徴とする請求項５に記載のネットワークシステム。
【請求項７】
前記ネットワークは、Ｂｌｕｅｔｏｏｔｈ（登録商標）規格に基づく無線ネットワークであること
を特徴とする請求項１〜６のいずれかに記載のネットワークシステム。
【請求項８】
通信機能を備える電子機器と前記電子機器から当該電子機器の機器名を示す機器名情報を受信し、当該機器名情報に基づく報知を行う報知装置とを備えるネットワークシステムにおいて利用可能な前記電子機器であって、
前記機器名情報を当該電子機器の状況に応じて変更して設定する設定手段と、
前記設定手段によって設定された機器名情報を前記報知装置に送信する送信手段とを備えること
を特徴とする電子機器。
【請求項９】
請求項１〜７のいずれかに記載のネットワークシステムにおける各手段としてコンピュータを機能させるためのプログラム。
【発明の詳細な説明】
【０００１】
【発明の属する技術分野】
通信機能を備える電子機器と、当該電子機器から機器名情報を受信し、当該機器名情報に基づく報知を行う報知装置とを備えるネットワークシステム等に関する。
【０００２】
【従来の技術】
通信機能を備えた種々の機器において、自機器の通信可能な電子機器を特定し、特定した電子機器の機器名やアイコンを表示することにより、ユーザに対して、通信可能な電子機器を知らせるネットワークシステムが知られている。
【０００３】
例えば、図８に示すＰＣ１００（ＰＣ１００ａ，１００ｂ）、複合機２００（２００ａ〜２００ｃのように、近距離無線通信規格であるＢｌｕｅｔｏｏｔｈ（登録商標、以下同じ）に基づく通信機能を備えた機器からなるネットワークシステムでは、サーチ開始側のＰＣ１００ａで図９に示すようなＢｌｕｅｔｏｏｔｈデバイスの検出画面を表示する。この検出画面は、ユーザによって、この画面のデバイス検出ボタンがクリックされた際に、自機器の通信可能な電子機器をサーチ（インクワイアリ）する信号を無線で送信する。サーチ受付側の電子機器（ＰＣ１００ｂ，複合機２００ａ〜２００ｃ）が、このようなサーチ開始側のＰＣ１００ａから送信されたインクワイアリを受信した際には、サーチ受付側の電子機器は、自己のアドレス（Ｂｌｕｅｔｏｏｔｈ  Ｄｅｖｉｃｅアドレス（ＢＤアドレス））、自己の機器名、及び、機器種別情報を返信する。そして、サーチ開始側のＰＣ１００ａは、このアドレス、機器名、及び機器種別情報を受信し、機器種別情報に対応するアイコンとともに図９に示すように、機器名を表示する。
【０００４】
図９は、図８に示した複合機（機器名：Ｍｕｌｔｉ  Ｆｕｃｔｉｏｎ  Ａ）が３台とノートパソコン（機器名：Ｎｏｔｅ  ＰＣ）が１台検出された際の表示例を示している。このように、通信可能な機器が表示されることによりユーザはこの表示に基づいて実際の接続を行う指示を入力して通信を行い、各種サービスを利用することができる。
【０００５】
ところで、図９の画面では、アイコンと機器名を表示するだけであるので、各機器がどのような状況にあるのか、ユーザには全く分からない。つまり、ユーザにとって、図９に示した名称が「Ｍｕｌｔｉ  Ｆｕｎｃｔｉｏｎ  Ａ」の機器は、その名称から複合機であることは想定できるのだが、その機器の状況までは分からない。そのため、各機器の状況をユーザに報知するためには、上述した機種のアドレス、機器名、及び機器種別情報の他に、機器の状況を別途取得して表示する機能を備える必要がある。このような構成を実現したものとして、例えば、ＰＣに接続されたプリンタの名称とそのプリンタの状況とを別々に取得して、図１０に示すように、個々に欄を設け、同時に表示する機能を備えたＯＳが知られている。
【０００６】
【発明が解決しようとする課題】
しかしながら、図１０に示すように、ユーザに機器名とその状況とをそれぞれの欄を用いて表示する従来のネットワークシステムにおいては、ユーザに対して機器名とその状況を報知することが可能ではあるが、機器名と状況とをそれぞれ個別に取得するため、データ送受信の回数が増加し、通信に負荷（例えば、ネットワークを流れるデータ量の増大や、通信にかかる電力消費量の増大など）を与えてしまっていた。
【０００７】
なお、このような従来のネットワークシステムは、Ｂｌｕｅｔｏｏｔｈ機器に限らず、例えば、ＳＮＭＰ（Ｓｉｍｐｌｅ  Ｎｅｔｗｏｒｋ    Ｍａｎａｇｅｍｅｎｔ    Ｐｒｏｔｏｃｏｌ）による機器の管理装置など、種々の機器で用いられており、同様の問題が生じている。また、機器名そのものを機器から取得する構成はもちろんのこと、機器名を特定可能な情報を取得して、その情報に基づいて特定した機器名を報知する機器についても同様の問題が生じている。
【０００８】
そこで、本発明は、上述した問題点を解決し、通信に負荷を与えることなく、電子機器に関する機器名と状況とを報知することができるネットワークシステム等を提供することを目的とする。
【０００９】
【課題を解決するための手段及び発明の効果】
上述した問題点を解決するためになされた請求項１に記載のネットワークシステムは、通信機能を備える電子機器が、その電子機器の状況に応じて機器名情報を設定し、設定した機器名情報を報知装置に送信する。
【００１０】
すなわち、従来、電子機器は単に機器名情報を送信し、報知装置はこの機器名情報に基づいて特定した機器名を報知していたのに対し、請求項１に記載のネットワークシステムでは、電子機器は機器名情報として、その電子機器の状況に応じた機器名情報を設定して送信し、報知装置では、この機器名情報に基づいて、電子機器の機器名及び状況に関する報知を行う。したがって、ユーザは、報知装置から報知された機器名に基づいて、この電子機器の状況を容易に知ることができる。
【００１１】
ここで、報知手段による報知は、機器名情報に基づいて行われており、この機器名情報は、電子機器に関する状況に応じて設定されていることから、報知装置は、電子機器に対して、別途状況を問い合わせることなく（通信に負荷を与えることなく）、電子機器の機器名及び状況に関する報知を行うことができる。
【００１２】
また、請求項２に示すように、機器名情報は、機器名そのものとしてもよい。すなわち、従来より電子機器から機器名を送信し、その機器名を報知する報知装置を有するネットワークシステムが存在するのであるが、請求項２に記載のネットワークシステムでは、電子機器の機器名をその電子機器の状況に応じて設定する構成を電子機器に付加しているため、報知装置は、電子機器が状況応じて設定した機器名を報知することとなる。その結果、ユーザは電子機器の状況をこの報知された機器名から知ることができる。
【００１３】
つまり、報知装置の構成は従来の構成から変更することなく、電子機器の構成のみを変更するだけで、報知装置から電子機器の状況を知らせるようにすることができる。すなわち、電子機器に従来送信していた機器名情報に加え、自機器の状況を付加した機器名情報を設定して送信するようにするようにすればよい。このようにすれば、報知装置は、単に機器名を取得するための処理を行うだけで機器名を報知することができる。このように、報知装置では、従来の報知装置としての機能をコンピュータに実現させるために従来から存在する種々のソフトウェアをそのまま利用して、機器の状況を報知させることも可能である。
【００１４】
なお、請求項２に記載のネットワークシステムは、「通信機能を備える電子機器と、前記電子機器から受信した機器名を報知する報知装置とを備えるネットワークシステムであって、前記電子機器は、当該電子機器の機器名を当該電子機器の状況に応じて変更して設定する設定手段と、前記設定手段によって設定された機器名を前記報知装置に送信する送信手段とを備え、前記報知装置は、前記電子機器から前記機器名を受信する受信手段と、前記受信手段によって受信された機器名に基づいて、前記電子機器の機器名及び状況に関する報知を行う報知手段とを備えることを特徴とするネットワークシステム。」と等価である。
【００１５】
そして、電子機器は、例えば、所定の時間間隔毎にその電子機器の状況に基づく機器名情報を設定して、設定した機器名情報を送信するように構成することもできるが、請求項３に示すように、報知装置からの機器名情報の送信要求の有無を判定し、送信要求が有ると判定された場合にその電子機器の状況を確認して、確認されたその電子機器の状況に基づく情報を機器名情報として設定するとよい。このようにすれば、報知装置からの送信要求があった場合に、機器の状況が確認され、その確認された状況に基づく機器名情報が送信される。したがって、電子機器において、状況の確認、機器名情報の設定、機器名情報の送信を常に行う必要がなくなり、電子機器の種々の資源（例えば、メモリ、演算能力、消費電力等）の消費を抑えることができる。
【００１６】
一方、報知装置は、例えば所定の時間間隔毎に機器名情報を通信端末へ要求するように構成してもよいが、請求項４に示すように、ユーザからの機器名の報知指示が入力された際に、電子機器に対して機器名情報の送信要求を送るようにするとよい。このようにすれば、ユーザが電子機器の状況を知りたいときに、電子機器の状況が報知され、ユーザは電子機器の状況を知ることができる。
【００１７】
ところで、機器名情報は、請求項５に示すように、電子機器を示す不変の情報である機器情報と、その電子機器の状況に応じて変化する状況情報とを組み合わせた情報とし、報知手段は、機器情報に基づいて機器名に関する報知を行う一方、状況情報に基づいて状況に関する報知を行うとよい。このようにすれば、機器情報が不変であるのでユーザはどの電子機器に関する報知であるのかを容易に特定することができ、また状況情報によってその電子機器の状況を知ることができる。
【００１８】
なお、機器情報は、請求項６に示すように機器名とし、状況情報も文字情報とすることができる。そして、請求項６の構成に加え請求項２に示す構成を備える場合には、電子機器から機器名を取得して表示する従来の報知装置であっても、その構成に何ら変更を加えずに、機器の状況を報知することも可能となる。
【００１９】
そして、こうしたネットワークシステムとしては、例えば、イーサネット（登録商標）によるネットワークシステム（例えばＬＡＮ）や、インターネットを含むネットワークシステムとして構成することができる。こうしたシステム上では、ＳＮＭＰによって機器名を取得して表示したり状況を取得して表示するネットワークシステムがある。このようなネットワークシステムに、上述した構成を備えることにより、報知装置は、別途状況を取得することなく単に機器名を取得するだけで、その機器の状況をユーザに知らせることも可能となる。
【００２０】
また、請求項７に示すように、Ｂｌｕｅｔｏｏｔｈ規格に基づく無線ネットワークでは、特に優れた効果を発揮する。すなわち、Ｂｌｕｅｔｏｏｔｈ規格では、比較的近距離（例えば数メートル〜百メートル程度）の範囲を通信範囲としており、通信を行うに先立って、この通信範囲内に存在する機器のアドレス（ＢＤアドレス）と機器名を取得している。請求項７に示す構成によれば、この機器名の取得の際に、機器の状況も同時に取得することができる。このようにプロトコルに規定される標準的な動作を行うだけで、機器名とともに機器の状況を取得して報知することができる効果がある。
【００２１】
なお、請求項１〜７では、ネットワークシステムとしての請求項を挙げたが、このようなネットワークシステムにおいて利用可能な電子機器を請求項として挙げることもできる。つまり、請求項８に示すように、電子機器が、その電子機器の状況に応じて電子機器の機器名情報を設定し、設定された機器名情報を報知装置に送信する。このようにすれば、機器名情報に基づく機器名及び前記電子機器の状況を、報知装置によって報知することが可能となる。なお、請求項８は、請求項１の内容に対応する電子機器の請求項であるが、請求項２〜７における電子機器の有する手段についても同様に、電子機器の請求項とすることができ、上述した各請求項に記載の効果と同様の効果を得ることができる。
【００２２】
なお、請求項９に示すように、請求項１〜７に記載のネットワークシステムをコンピュータにて実現する場合、例えば、コンピュータで実行するプログラムとして備えることができる。このようなプログラムの場合、例えば、フレキシブルディスク、光磁気ディスク、ＣＤ−ＲＯＭ、ハードディスク、ＲＯＭ、ＲＡＭ等のコンピュータ読み取り可能な記録媒体に記録し、必要に応じてコンピュータにロードして実行したり、ネットワークを介してロードして実行することにより、各手段としての機能を実現できる。
【００２３】
【発明の実施の形態】
以下、本発明が適用された実施例について図面を用いて説明する。なお、本発明の実施の形態は、下記の実施例に何ら限定されることなく、本発明の技術的範囲に属する限り種々の形態を採りうることは言うまでもない。
【００２４】
図１は、本実施例のネットワークシステム１の構成を示すブロック図である。ネットワークシステム１は、報知装置としてのパソコン１０と、電子機器としての複合機であるＭＦＰ（Ｍｕｌｔｉ  Ｆｕｎｃｔｉｏｎ  Ｐｅｒｉｐｈｅｒａｌ）２０とを備える。
パソコン１０は、ＣＰＵ１１、ＲＯＭ１２、ＲＡＭ１３、ＨＤＤ１４、ディスプレイ等の表示部１５、キーボードやマウス等の操作部１６などを備えた一般的なパーソナルコンピュータに対してさらにＢｌｕｅｔｏｏｔｈ規格に基づく無線通信を行うＢｌｕｅｔｏｏｔｈ通信モジュール１７を備えたものである。そしてパソコン１０では、一般的に利用されているオペレーティングシステムが実行されており、ＨＤＤ１４に記憶された各種のプログラムを、ＣＰＵ１１がＲＡＭ１３にロードして実行する機能を備える。
【００２５】
一方、ＭＦＰ２０は、ＣＰＵ２１、ＲＯＭ２２、ＲＡＭ２３、ＨＤＤ２４、ＬＣＤ等による表示部２５、テンキーと機能キー等で構成された操作部２６、Ｂｌｕｅｔｏｏｔｈ通信モジュール２７、用紙への印字を行う印字部２８、公衆回線網に接続可能に構成され、発呼・着呼等の制御を行う網制御と、公衆回線網を介して他のＦＡＸとのデータの送受信とを行う電話回線接続部２９などを備える。そしてＲＡＭ２３として、不揮発性のメモリであるＮＶＲＡＭを備え、ＭＦＰ２０の動作に必要な各種の設定を記憶している。この設定には、ＭＦＰ２０のＢｌｕｅｔｏｏｔｈデバイス名が含まれており、デフォルト設定では、Ｂｌｕｅｔｏｏｔｈデバイス名として「Ｍｕｌｔｉ  Ｆｕｎｃｔｉｏｎ  Ａ」が記憶されている。このＢｌｕｅｔｏｏｔｈデバイス名は、ユーザが操作部２６から名称変更の指示を入力した場合に、ユーザが入力した名称に変更可能である。
【００２６】
そして、ＭＦＰ２０は、ＣＰＵ２１がＨＤＤ２４やＲＯＭ２２に記憶されたプログラムを実行することにより、Ｂｌｕｅｔｏｏｔｈ通信モジュール２７から印刷データを受信したり、電話回線接続部２９を介してＦＡＸデータを受信してＨＤＤ２４に記憶したりする受信処理と、受信したデータに基づいて印字部２８を制御して印刷を行う印刷処理を行う。また、Ｂｌｕｅｔｏｏｔｈ通信モジュール２７から受信したデータに基づいて電話回線接続部２９を制御して公衆回線網を介して他のＦＡＸへのデータの送信を行うＦＡＸ送信処理や、ＨＤＤ２４に記憶されたデータをＢｌｕｅｔｏｏｔｈ通信モジュール２７を制御してパソコン１０へ送信する処理などを行う。なお、ＭＦＰ２０のＣＰＵ２１は、複数のプログラムをマルチタスクで処理することにより、リソースの競合しない複数の処理を同時に実行可能に構成されている。
【００２７】
また、パソコン１０は、アプリケーションプログラムによる印刷処理によってＨＤＤ１４に記憶された印刷データやＦＡＸデータをＢｌｕｅｔｏｏｔｈ通信モジュール１７を制御してＭＦＰ２０へ送信するデータ送信処理や、ＭＦＰ２０から送信されたデータをＢｌｕｅｔｏｏｔｈ通信モジュール１７を介して受信するデータ受信処理を行う。また、ＨＤＤ１４は、Ｂｌｕｅｔｏｏｔｈデバイス検索プログラムを記憶しており、上述したデータ送信処理やデータ受信処理による通信対象のＢｌｕｅｔｏｏｔｈデバイスを選択したり、機器の状況を確認したりするために、パソコン１０の周囲に存在するＢｌｕｅｔｏｏｔｈデバイスの検索処理を行う。このＢｌｕｅｔｏｏｔｈデバイス検索処理は、パソコン１０がＢｌｕｅｔｏｏｔｈ通信モジュール１７によって通信可能な機器を検索して、その機器のＢｌｕｅｔｏｏｔｈデバイス名を取得し、取得したＢｌｕｅｔｏｏｔｈデバイス名を一覧表示する処理である。
【００２８】
一方、ＭＦＰ２０は、この検索を受けた場合に、自己のＢｌｕｅｔｏｏｔｈデバイス名にＭＦＰ２０の状況を含めた機器名を送信する応答処理を行う。これらの処理について、図２〜６を参照して説明する。
図２は、パソコン１０が、Ｂｌｕｅｔｏｏｔｈデバイス検索プログラムを実行した際に、表示部１５に表示するウインドウ５０の表示例を示す図である。パソコン１０のＣＰＵ１１は、ユーザによって、操作部１６のマウスが操作され、このウインドウ５０のデバイス検出ボタン５２がクリックされたことを検出すると、Ｂｌｕｅｔｏｏｔｈデバイス検索処理を開始する。
【００２９】
このＢｌｕｅｔｏｏｔｈデバイス検索処理の流れを、図３のフローチャートに示す。まず、図３のＳ１１０では、ＣＰＵ１１がＢｌｕｅｔｏｏｔｈ通信モジュール１７を制御し、Ｂｌｕｅｔｏｏｔｈ通信モジュール１７から、他のＢｌｕｅｔｏｏｔｈデバイスを検索する検索コマンド（インクワイアリ）を無線で送信する。このＢｌｕｅｔｏｏｔｈ通信モジュール１７の通信範囲は、半径数メートル程度（例えば半径５メートル程度）である。例えば、図４のパソコン１０ａのＢｌｕｅｔｏｏｔｈ通信モジュール１７の通信範囲は、図４に破線で示す範囲となり、この場合、ＭＦＰ２０ａ，２０ｂ，２０ｃ及びパソコン１０ｂがパソコン１０ａの通信範囲に含まれることとなり、ＭＦＰ２０ｄ及びパソコン１０ｃ，１０ｄは通信範囲に含まれないこととなる。
【００３０】
一方、ＭＦＰ２０は、図５のフローチャートに示す処理を行う。すなわち、Ｓ２１０で、ＣＰＵ２１は、Ｂｌｕｅｔｏｏｔｈ通信モジュール２７が検索コマンドを受信したか否か（インクワイアリがあったか否か）を監視し、検索コマンドを受信した場合（インクワイアリがあった場合）に（Ｓ２１０：ＹＥＳ）、Ｓ２２０へ移行する。
【００３１】
Ｓ２２０では、自己のＢｌｕｅｔｏｏｔｈデバイス名を、ＲＡＭ２３のＮＶＲＡＭから取得する。例えば、Ｂｌｕｅｔｏｏｔｈデバイス名がデフォルト設定である場合には、テキスト「Ｍｕｌｔｉ  Ｆｕｎｃｔｉｏｎ  Ａ」が取得される。
そして、Ｓ２３０〜Ｓ２８０では、ＭＦＰ２０の各処理の状況を判定し、その状況を、Ｂｌｕｅｔｏｏｔｈデバイス名に付加していく。
【００３２】
まずＳ２３０では、待機中か否かを判定する。すなわち、前述したＦＡＸ受信処理においてＦＡＸ受信中でない状況であり、かつ、印刷処理において印刷中でない状況である場合に、待機中であると判定する。
なお、「ＦＡＸ受信中か否か」や「印刷中か否か」は、例えば、ＦＡＸ受信処理ではＦＡＸ受信中にＦＡＸ受信中フラグをセットするように、印刷処理では印刷中に印刷中フラグをセットするようにしておき、Ｓ２３０でこれらのフラグがセットされているか否かによって判定することができる。なお、後述するＳ２５０、Ｓ２７０の判定も同様にしてこれらのフラグを参照して行うことができる。
【００３３】
そして、待機中の場合には（Ｓ２３０：ＹＥＳ）、Ｓ２４０へ移行してＢｌｕｅｔｏｏｔｈデバイス名にテキスト「（待機中）」を付加した後、Ｓ２９０へ移行する。一方、待機中でない場合には（Ｓ２３０：ＮＯ）、Ｓ２５０へ移行する。
Ｓ２５０では、前述したＦＡＸ受信処理において現在ＦＡＸ受信中であるか否かを判定し、ＦＡＸ受信中の場合には（Ｓ２５０：ＹＥＳ）、Ｓ２６０へ移行してＢｌｕｅｔｏｏｔｈデバイス名にテキスト「（ＦＡＸ受信中）」を付加した後、Ｓ２７０へ移行する。一方、ＦＡＸ受信中でない場合には（Ｓ２５０：ＮＯ）、Ｓ２７０へ移行する。
【００３４】
Ｓ２７０では、前述した印刷処理において現在印刷中か否かを判定する。印刷中の場合には（Ｓ２７０：ＹＥＳ）、Ｓ２８０へ移行し、Ｂｌｕｅｔｏｏｔｈデバイス名にテキスト「（印刷中）」を付加した後、Ｓ２９０へ移行する。一方、印刷中でない場合には（Ｓ２７０：ＮＯ）、Ｓ２９０へ移行する。
【００３５】
そして、Ｓ２９０で、Ｓ２３０〜Ｓ２８０で状況の付加されたＢｌｕｅｔｔｏｔｈデバイス名、ＢＤアドレス、及び、機器種別情報を、Ｂｌｕｅｔｏｏｔｈ通信モジュール２７から送信する。例えばＳ２３０で待機中ではないと判定され（Ｓ２３０：ＮＯ）、Ｓ２５０でＦＡＸ受信中と判定され（Ｓ２３０：ＹＥＳ）、かつ、Ｓ２７０で印刷中ではないと判定された場合には（Ｓ２７０：ＮＯ）、送信されるＢｌｕｅｔｏｏｔｈデバイス名は「Ｍｕｌｔｉ  Ｆｕｎｃｔｉｏｎ  Ａ（ＦＡＸ受信中）」となる。なお、このように括弧内に状況を示す語句を付加することにより、機器情報としての機器名と、状況情報としての状況を示すテキストとを、明確に区別することが容易にできる。
【００３６】
パソコン１０のＢｌｕｅｔｏｏｔｈ通信モジュール１７は、このＢｌｕｅｔｏｏｔｈデバイス名を受信し、Ｓ１２０（図３参照）でＣＰＵ１１は、Ｂｌｕｅｔｏｏｔｈ通信モジュール１７から、Ｂｌｕｅｔｏｏｔｈデバイス名を取得してＲＡＭ１３に格納する。そして、Ｓ１３０では、このＢｌｕｅｔｏｏｔｈデバイス名を表示部１５へ表示する。この表示は、図２に示したウインドウ５０内に、図６に示すように描画することで行う。すなわち、受信した機器種別情報に対応するアイコンの下にＢｌｕｅｔｏｏｔｈデバイス名を表示する。
【００３７】
このように、Ｂｌｕｅｔｏｏｔｈデバイス名として機器の状況を含んだものが表示されるため、ユーザはどの機器がどのような状況であるのかをＢｌｕｅｔｏｏｔｈデバイス名を見ただけで容易に把握することができる。すなわち、従来の図９に示したＢｌｕｅｔｏｏｔｈデバイス名の表示では分からなかった機器の状況が、図６に示すように表示されることで容易に分かるようになるのである。また、機器の状況を取得するために別途通信を行う必要がないので、通信に負荷をかけることなく、機器名と状況とを報知することができる。
【００３８】
なお、本実施例では、ＭＦＰ２０の状況として、待機中、ＦＡＸ受信中、印刷中を例として説明したが、例えば、ペーパージャム、用紙切れ、トナー切れ、メモリフルなど、種々の状況を用いることができる。
また、本実施例では、電子機器としてＭＦＰ２０、報知装置としてＰＣ１０を例に説明したが、種々の機器を電子機器または報知装置とすることができる。
【００３９】
更に、本実施例では、機器名情報としての機器名と、状況情報としての状況を示すテキストとを表示することによって報知する例を挙げて説明したが、表示に限らず、音声を出力することによって報知する構成としても良い。
また、機器名情報は、例えば、文字列を特定するＩＤナンバーに機器の状況を付加した構成とし、報知装置は、このＩＤナンバーに対応する文字列を予め記憶しておき、この記憶された対応関係に基づいて、受信したＩＤナンバーから文字列を特定して、付加された状況と組み合わせて機器名として報知する構成としても良い。つまり、機器名を間接的に特定する構成としても良い。
【００４０】
更に、本実施例では、図６に示すように、ＰＣのＧＵＩ環境における機器のアイコンと機器名とを表示する例を挙げて説明したが、図７（ａ）に示すように、アイコンを表示せずに、機器名（機器の状況を含んだもの）のみを表示するようにしても良い。このような構成は、例えば、携帯電話機のように、ディスプレイの大きさや解像度に制限のある場合により好適に作用する。また、図７（ｂ）に示すように、電子機器から受信した状況情報（図６や図７（ａ）における、ＦＡＸ受信中、待機中、印刷中に相当）を機器名として文字列で表示する代わりに（図６や図７（ａ）参照）、状況情報に対応する簡素なアイコンを予め記憶しておき、それを表示（報知）させる構成としても良い。
【図面の簡単な説明】
【図１】実施例のネットワークシステムの構成を示すブロック図である。
【図２】Ｂｌｕｅｔｏｏｔｈデバイス検索プログラムの実行画面の表示例を示す図である。
【図３】ＰＣにおけるＢｌｕｅｔｏｏｔｈデバイス検索処理の流れを示すフローチャートである。
【図４】通信範囲の例を示す説明図である。
【図５】ＭＦＰにおける応答処理の流れを示すフローチャートである。
【図６】Ｂｌｕｅｔｏｏｔｈデバイス検索後のＢｌｕｅｔｏｏｔｈデバイス検索プログラムの実行画面の表示例を示す図である。
【図７】Ｂｌｕｅｔｏｏｔｈデバイス検索後のＢｌｕｅｔｏｏｔｈデバイス検索プログラムの実行画面の他の表示例を示す図である。
【図８】Ｂｌｕｅｔｏｏｔｈデバイスの検索の様子を説明する説明図である。
【図９】従来のＢｌｕｅｔｏｏｔｈデバイス検索プログラムの実行画面の表示例を示す図である。
【図１０】従来のプリンタ名とプリンタの状況の表示例を示す図である。
【符号の説明】
１…ネットワークシステム、
１０…パソコン  １１…ＣＰＵ  １２…ＲＯＭ  １３…ＲＡＭ
１４…ＨＤＤ  １５…表示部  １６…操作部  １７…Ｂｌｕｅｔｏｏｔｈ通信モジュール
２０…ＭＦＰ（複合機）  ２１…ＣＰＵ  ２２…ＲＯＭ  ２３…ＲＡＭ
２４…ＨＤＤ  ２５…表示部  ２６…操作部  ２７…Ｂｌｕｅｔｏｏｔｈ通信モジュール
２８…印字部  ２９…電話回線接続部
５０…ウインドウ  ５２…デバイス検出ボタン
１００…ＰＣ  ２００…複合機
【図１】
0003617508.tif 000002
【図２】
0003617508.tif 000003
【図３】
0003617508.tif 000004
【図４】
0003617508.tif 000005
【図５】
0003617508.tif 000006
【図６】
0003617508.tif 000007
【図７】
0003617508.tif 000008
【図８】
0003617508.tif 000009
【図９】
0003617508.tif 000010
【図１０】
0003617508.tif 000011